(57)【要約】【課題】デジタルカメラ等で連続撮影等を行う場合の撮影枚数や撮影画像の種類等を聴覚的に確認可能にしたり、画像再生時に画像の種類や枚数等を聴覚又は視覚で確認可能にする、撮像装置、撮影確認方法、再生時の画像確認方法、及びプログラムの提供。【解決手段】音響メモリに撮影枚数や画像グループの種類に対応付けた音データ１３１等を格納しておき、撮影時や再生時に撮影枚数或いは再生枚数や、画像グループの種類等に対応する音データを音響メモリから取り出して報知音として出力させる。例えば、音データ１３１を用いると、５枚の連続撮影された場合、１枚目では「ド」、２枚目では「レ」、・・・、５枚目では「ソ」が出力されるので、全体を通して「ド、レ、ミ、ファ、ソ」とユーザに報知され、ユーザは５枚撮影されたことを確認できる。【選択図】  図３
2011259447.tif 000002
【特許請求の範囲】
【請求項１】
被写体を撮影してその画像データを生成し、該画像データを保存メモリに記録する撮像装置において、
撮影画像の種類に対応付けられて格納されている音データを格納した音響メモリと、
撮影時に撮影画像の種類を判定する種類判定手段と、
前記種類判定手段によって判定された撮影画像の種類に対応する音データを前記音響メモリから取り出す音データ取得手段と、前記取り出した音データを復調して外部に出力する音響出力手段と、
を備えたことを特徴とする撮像装置。
【請求項２】
被写体を撮影してその画像データを生成し、該画像データを保存メモリに記録する撮像装置において、
再生画像枚数に対応付けられた音データを格納した音響メモリと、
記録画像の再生時に再生画像の種類を判定する種類判定手段と、
再生画像の種類が連続撮影画像の場合に、再生画像枚数をカウントする再生枚数カウント手段と、
前記再生枚数カウント手段によってカウントされた再生画像枚数に対応する音データを前記音響メモリから取り出す音データ取得手段と、
前記音データ取得手段によって取得された音データを復調して外部に出力する音響出力手段と、
を備えたことを特徴とする撮像装置。
【請求項３】
前記音響メモリは更に再生画像の種類に対応付けられた音データを格納し、
再生画像の種類が連続撮影画像以外の撮影の場合に、種類判定手段によって判定された種類に対応する音データを前記音響メモリから取り出す第２の音データ取得手段を備え、前記音響出力手段は前記第２の音データ取得手段によって取り出された音データを復調して外部に出力することを特徴とする請求項５記載の撮像装置。
【請求項４】
被写体を撮影してその画像データを生成し、該画像データを保存メモリに記録する撮像装置において、
記録画像の再生時に再生画像の種類を判定する種類判定手段と、
再生画像の種類が連続撮影画像の場合に、再生画像枚数をカウントする再生枚数カウント手段と、
前記再生枚数カウント手段によってカウントされた再生画像枚数を表示する表示手段と、
を備えたことを特徴とする撮像装置。
【請求項５】
被写体を撮影してその画像データを生成し、該画像データを保存メモリに記録する撮像装置において、
同一グループに対応付けられた音データを格納した音響メモリと、
記録画像の再生時に再生画像が同一グループに属するか否かを判定するグループ判定手段と、
前記グループ判定手段によって判定されたグループに対応する音データを前記音響メモリから取り出す音データ取得手段と、
前記音データ取得手段によって取得された音データを復調して外部に出力する音響出力手段と、
を備えたことを特徴とする撮像装置。
【請求項６】
被写体を撮影してその画像データを生成し、該画像データを保存メモリに記録する撮像装置の撮影確認方法において、
撮影時に、画像の種類を調べ、撮影画像の種類に対応付けられて格納されている音データをメモリから取り出し、取り出した音データを復調して外部に出力し、撮影画像の種類を確認可能とする、ことを特徴とする撮影確認方法。
【請求項７】
前記撮影画像の種類には、予め登録してある複数のシーンから選択されたシーンに最適な撮影条件を設定して撮影するシーン選択モードによって撮影されたシーンを含むことを特徴とする請求項６記載の撮影確認方法。
【請求項８】
更に、撮影準備指示時に、撮影準備指示のあったことを報知する撮影準備指示音データをメモリから取り出し、取り出した音データを復調して外部に出力し、撮影準備指示のあったことを確認可能とする、ことを特徴とする請求項６又は７記載の撮影確認方法。
【請求項９】
更に、撮影指示時に、撮影指示のあったことを報知する撮影指示音データをメモリから取り出し、取り出した音データを復調して外部に出力し、撮影指示のあったことを確認可能とする、ことを特徴とする請求項７又は８記載の撮影確認方法。
【請求項１０】
被写体を撮影してその画像データを生成し、該画像データを保存メモリに記録する撮像装置の撮影確認方法において、
連続画像の再生時に、再生画像枚数をカウントし、再生画像枚数に対応付けられて格納されている音データをメモリから取り出し、取り出した音データを復調して外部に出力し、現在の画像再生枚数を確認可能とする、ことを特徴とする再生時の画像確認方法。
【請求項１１】
被写体を撮影してその画像データを生成し、該画像データを保存メモリに記録する撮像装置の再生時の画像確認方法において、
連続画像の再生時に、画像再生枚数をカウントして画像再生枚数のカウント値を表示し、現在の画像再生枚数を確認可能とする、ことを特徴とする再生時の画像確認方法。
【請求項１２】
被写体を撮影してその画像データを生成し、該画像データを保存メモリに記録する撮像装置の再生時の画像確認方法において、
記録画像の再生時に、連続撮影モードかそれ以外の撮影モードかを調べ、連続撮影の場合には、撮影枚数をカウントし、撮影画像枚数に対応付けられて格納されている音データをメモリから取り出し、取り出した音データを復調して外部に出力し、現在の画像撮影枚数を確認可能とし、連続撮影以外の撮影モードの場合には撮影画像枚数に対応付けられて格納されている音データをメモリから取り出し、取り出した音データを復調して外部に出力するか無音とすることにより、連続撮影画像とその他の画像とを弁別可能とする、ことを特徴とする再生時の画像確認方法。
【請求項１３】
被写体を撮影してその画像データを生成し、該画像データを保存メモリに記録する撮像装置の再生時の画像確認方法において、
記録画像の再生時に、再生画像が同一グループに属するか否かを判定し、同一グループに属する場合は、当該グループに対応付けられて格納されている音データをメモリから取り出し、取り出した音データを復調して外部に出力し、現在の再生画像が同一グループの画像であることを確認可能とする、ことを特徴とする再生時の画像確認方法。
【請求項１４】
被写体を撮影してその画像データを生成し、該画像データを保存メモリに記録する撮像装置において実行可能なプログラムであって、
撮影時に撮影画像の種類を判定するプログラムステップと、前記判定された撮影画像の種類に対応する音データをメモリから取り出すプログラムステップと、前記取り出した音データを復調させて外部に音響出力させるプログラムステップと、を備えたことを特徴とするプログラム。
【請求項１５】
撮影画像の画像データを保存メモリに記録した撮像装置と接続された画像処理装置又は前記撮像装置から画像データ転送された画像処理装置において実行可能なプログラムであって、
画像の再生時に再生画像の種類を判定するプログラムステップと、再生画像の種類が連続撮影画像の場合に、再生画像枚数をカウントするプログラムステップと、前記カウントされた再生画像枚数に対応する音データを音響メモリから取り出すプログラムステップと、前記取得された音データを復調させて外部に音響出力させるプログラムステップと、
を備えたことを特徴とするプログラム。
【請求項１６】
撮影画像の画像データを保存メモリに記録した撮像装置と接続された画像処理装置又は前記撮像装置から画像データ転送された画像処理装置において実行可能なプログラムであって、
画像の再生時に再生画像の種類を判定するプログラムステップと、再生画像の種類が連続撮影画像の場合に、再生画像枚数をカウントするプログラムステップと、前記カウントされた再生画像枚数に対応する音データを音響メモリから取り出すプログラムステップと、前記取得された音データを復調させて外部に音響出力させるプログラムステップと、
前記カウントされた再生画像枚数を表示させるプログラムステップと、を備えたことを特徴とするプログラム。
【請求項１７】
撮影画像の画像データを保存メモリに記録した撮像装置と接続された画像処理装置又は前記撮像装置から画像データ転送された画像処理装置において実行可能なプログラムであって、
画像の再生時に再生画像が同一グループに属するか否かを判定するプログラムステップと、前記グループ判定手段によって判定されたグループに対応する音データを前記音響メモリから取り出すプログラムステップと、前記取得された音データを復調させて外部に音響出力させるプログラムステップと、を備えたことを特徴とするプログラム。
【発明の詳細な説明】
【技術分野】
【０００１】
本発明は、デジタルカメラ等の撮像装置で撮影を行う場合の撮影枚数や撮影画像の種類等や、画像再生時に画像の種類や枚数等を聴覚又は視覚で確認可能にする、撮像装置、撮影確認方法、再生時の画像確認方法、及びプログラムに関する。
【背景技術】
【０００２】
近年、シャッター機構に機械的駆動部を有しないカメラでは、シャッターキーを操作した際にシャッター音が生じないので、撮影者は撮影が行われたか否かを確認することができず、不安を感じることになる。
【０００３】
そこで、撮影者がシャッターキーを押したとき、音声を出力するようにして被写体像を記録媒体に記憶したかどうかを確認できるようにしたデジタルカメラが提案されている（例えば、特許文献１）。
【０００４】
また、シャッター操作に関する情報の他、例えばフィルムの残り枚数とか被写体距離等の各種カメラ情報を音声で出力するようにしたカメラが提案されている（例えば、特許文献２参照）。
【０００５】
また、電子スチルカメラの記録媒体に記録された撮影枚数を検出する検出手段と、該検出手段からの出力により撮影可能な残りの枚数に応じて複数の種類の音を選択的に発生させる手段とを設け、これによって撮影途中で不意に撮影不能に陥ることのないように撮影枚数の警告情報を音声で選択的に出力する電子スチルカメラの撮影枚数警報装置が提案されている（例えば、特許文献３参照）。
【０００６】
また、メモリに複数のシャッター音を格納しておき、撮影した画像データの撮影モードを確認できるように撮影時に撮影モードに対応付けたシャッター音を出力するデジタルカメラが提案されている（例えば、特許文献４）。
【０００７】
また、オートフォーカス時には合焦音を出力するようにして合焦状態か否かを確認できるようにした合焦音発生方法及び装置が提案されている（例えば、特許文献５）。
【先行技術文献】
【特許文献】
【０００８】
【特許文献１】特開２００３−１７９７９５号公報
【特許文献２】特開平１−１８３６３８号公報
【特許文献３】特開昭６２−９８８７３号公報
【特許文献４】特開２００１−６９３８９号公報
【特許文献５】特開２００２−２７７７２７号公報
【発明の概要】
【発明が解決しようとする課題】
【０００９】
しかしながら、１回のシャッターで複数の画像を連続して撮影する連続撮影の場合は、シャッター半押し操作等の撮影準備開始時に何枚撮影するかの音声を出力したり、シャッター全押し操作等の撮影指示時にその旨を報知したり、撮影時に確実に設定枚数分撮影して記録しているという確認音声を出力したり、連続撮影画像の再生時に、撮影画像の種類やシーンや、再生枚数や何枚目の画像か等を音声や表示で確認できれば便利であるが、上記特許文献１〜特許文献３に記載の技術では、撮影者はシャッター全押し操作時に音声出力を行うので被写体像を記録媒体に記憶したかどうかを確認できるが、連続撮影で何枚撮影するかや、１回のシャッターで何枚撮影したかや、再生時に何枚又は何枚目の連続画像を再生するかを知ることはできないという課題がある。
【００１０】
また、上記特許文献４に記載の技術では、撮影モードを音声で確認することはできるが、特許文献１〜特許文献３の技術と同様に連続画像の撮影枚数等を確認できないという課題があり、更に、撮影モードは確認できても画像の種類やシーンを確認できないといった課題がある。
【００１１】
また、上記特許文献５に記載の技術は合焦音で合焦状態か否かを確認できるようにしたものであり、連続画像の撮影枚数等の確認や画像の撮影モードや画像が同一グループか否かの確認ができない。
【００１２】
本発明は、上記課題を解決するためになされたものであり、デジタルカメラ等の撮像装置で連続撮影等を行う場合の撮影枚数や撮影画像の種類や撮影シーン等を聴覚的に確認可能にしたり、画像再生時に再生画像の枚数や画像の種類や撮影シーン等を聴覚又は視覚で確認可能にする、撮像装置、撮影確認方法、再生時の画像確認方法、及びプログラムの提供を目的とする。
【課題を解決するための手段】
【００１３】
また、請求項１に記載の発明では、被写体を撮影してその画像データを生成し、該画像データを保存メモリに記録する撮像装置において、撮影画像の種類に対応付けられて格納されている音データを格納した音響メモリと、撮影時に撮影画像の種類を判定する種類判定手段と、種類判定手段によって判定された撮影画像の種類に対応する音データを音響メモリから取り出す音データ取得手段と、取り出した音データを復調して外部に出力する音響出力手段と、を備えたことを特徴とする撮像装置を提供する。
これにより、再生画像の種類に対応付けられたメロディや音或いは文言等を出力して、被写体人物の関心をカメラに集中させることができると共にユーザは聴覚により画像の種類を確認することができる。
【００１４】
また、請求項２に記載の発明では、被写体を撮影してその画像データを生成し、該画像データを保存メモリに記録する撮像装置において、再生画像枚数に対応付けられた音データを格納した音響メモリと、記録画像の再生時に再生画像の種類を判定する種類判定手段と、再生画像の種類が連続撮影画像の場合に、再生画像枚数をカウントする再生枚数カウント手段と、再生枚数カウント手段によってカウントされた再生画像枚数に対応する音データを音響メモリから取り出す音データ取得手段と、音データ取得手段によって取得された音データを復調して外部に出力する音響出力手段と、を備えたことを特徴とする撮像装置を提供する。
これにより、現在再生している画像が連続撮影画像であることを聴覚で確認できるので分かりやすく安心感を持つことができる。また、連続撮影された再生画像の場合、画像が類似している場合があっても現在何枚目を再生表示しているかがわかるので、同じ開始タイミングで撮影した一連の連続撮影のうちどの画像を残してどの画像を消去するかを決める際などに便利である。
【００１５】
また、請求項３に記載の発明では、音響メモリは更に再生画像の種類に対応付けられた音データを格納し、再生画像の種類が連続撮影画像以外の撮影の場合に、種類判定手段によって判定された種類に対応する音データを音響メモリから取り出す第２の音データ取得手段を備え、音響出力手段は第２の音データ取得手段によって取り出された音データを復調して外部に出力することを特徴とする請求項５記載の撮像装置を提供する。これにより、再生画像の種類に応じて報知音が出力されるので、保存記録メモリに連続撮影画像とその他の画像が混在していてもユーザは再生画像の種類を確認できる。
【００１６】
また、請求項４に記載の発明では、被写体を撮影してその画像データを生成し、該画像データを保存メモリに記録する撮像装置において、記録画像の再生時に再生画像の種類を判定する種類判定手段と、再生画像の種類が連続撮影画像の場合に、再生画像枚数をカウントする再生枚数カウント手段と、再生枚数カウント手段によってカウントされた再生画像枚数を表示する表示手段と、を備えたことを特徴とする撮像装置を提供する。これにより、連続撮影画像が１枚再生されるたびに枚数が表示されるのでユーザは何枚目の連続撮影画像が再生されたかといったことや合計枚数を確実に確認できる。
【００１７】
また、請求項５に記載の発明では、被写体を撮影してその画像データを生成し、該画像データを保存メモリに記録する撮像装置において、同一グループに対応付けられた音データを格納した音響メモリと、記録画像の再生時に再生画像が同一グループに属するか否かを判定するグループ判定手段と、グループ判定手段によって判定されたグループに対応する音データを音響メモリから取り出す音データ取得手段と、音データ取得手段によって取得された音データを復調して外部に出力する音響出力手段と、を備えたことを特徴とする撮像装置を提供する。これにより、再生画像が同一グループの画像の場合にはそのグループに対応付けられた報知音が出力されるのでユーザは再生画像のグループを確認できる。
【００１８】
また、請求項６に記載の発明では、被写体を撮影してその画像データを生成し、該画像データを保存メモリに記録する撮像装置の撮影確認方法において、撮影時に、画像の種類を調べ、撮影画像の種類に対応付けられて格納されている音データをメモリから取り出し、取り出した音データを復調して外部に出力し、撮影画像の種類を確認可能とする、ことを特徴とする撮影確認方法を提供する。
これにより、画像の種類に対応付けられた音データを取り出して報知音として出力させることができるので、画像の種類に対応付けられたメロディや音或いは文言等を出力して、被写体人物の関心をカメラに集中することができると共にユーザは聴覚により画像の種類を確認することができる。
【００１９】
また、請求項７に記載の発明では、撮影画像の種類には、予め登録してある複数のシーンから選択されたシーンに最適な撮影条件を設定して撮影するシーン選択モードによって撮影されたシーンを含むことを特徴とする請求項１２記載の撮影確認方法を提供する。これにより、画像が１枚撮影されるたびに音響メモリから選択されたシーンに対応付けられた音データを取り出して報知音として出力させることができるので、選択された各シーンに対応付けられたメロディや音或いは文言等を出力して、被写体人物の関心をカメラに集中することができると共にユーザは聴覚によりシーンを確認することができる。また、シーンを間違えていた場合に記録前に間違いが分かるのでシーンの設定をやり直すことができる。
【００２０】
また、請求項８に記載の発明では、更に、撮影準備指示時に、撮影準備指示のあったことを報知する撮影準備指示音データをメモリから取り出し、取り出した音データを復調して外部に出力し、撮影準備指示のあったことを確認可能とする、ことを特徴とする請求項１２又は１３記載の撮影確認方法を提供する。
これにより、シーンの撮影前に、選択されたシーンに最も適した撮影準備指示音（例えば、シャッター半押し音やセルフタイマ音）を出力できるので、人物撮影の場合に撮影前に被写体人物の注意をカメラに向けさせることができ、露出や自動合焦時に被写体人物が大きく動くようなことを防止できる。
【００２１】
また、請求項９に記載の発明では、更に、撮影指示時に、撮影指示のあったことを報知する撮影指示音データをメモリから取り出し、取り出した音データを復調して外部に出力し、撮影指示のあったことを確認可能とする、ことを特徴とする請求項１３又は１４記載の撮影確認方法を提供する。
これにより、撮影時に、選択されたシーンに最も適したシャッター全押し音を出力するので、ユーザ、被写体人物の双方は撮影がされたことを確認でき、安心感を持つことができる。
【００２２】
また、請求項１０に記載の発明では、被写体を撮影してその画像データを生成し、該画像データを保存メモリに記録する撮像装置の撮影確認方法において、連続画像の再生時に、再生画像枚数をカウントし、再生画像枚数に対応付けられて格納されている音データをメモリから取り出し、取り出した音データを復調して外部に出力し、現在の画像再生枚数を確認可能とする、ことを特徴とする再生時の画像確認方法を提供する。
これにより、現在再生している画像が連続撮影画像であることを聴覚で確認できるので分かりやすく安心感を持つことができる。また、連続撮影された再生画像の場合、画像が類似している場合があっても現在何枚目を再生表示しているかがわかるので、同じ開始タイミングで撮影した一連の連続撮影のうちどの画像を残してどの画像を消去するかを決める際などに便利である。
【００２３】
また、請求項１１に記載の発明では、被写体を撮影してその画像データを生成し、該画像データを保存メモリに記録する撮像装置の再生時の画像確認方法において、連続画像の再生時に、画像再生枚数をカウントして画像再生枚数のカウント値を表示し、現在の画像再生枚数を確認可能とする、ことを特徴とする再生時の画像確認方法を提供する。
これにより、連続撮影画像の場合、画像が類似している場合があっても現在再生している画像が何枚目の連続撮影画像であることが分るので、再生時に、同じ開始タイミングで撮影した一連の連続撮影のうちどの画像を残してどの画像を消去するかを決める際などに便利である。
【００２４】
また、請求項１２に記載の発明では、被写体を撮影してその画像データを生成し、該画像データを保存メモリに記録する撮像装置の再生時の画像確認方法において、記録画像の再生時に、連続撮影モードかそれ以外の撮影モードかを調べ、連続撮影の場合には、撮影枚数をカウントし、撮影画像枚数に対応付けられて格納されている音データをメモリから取り出し、取り出した音データを復調して外部に出力し、現在の画像撮影枚数を確認可能とし、連続撮影以外の撮影モードの場合には撮影画像枚数に対応付けられて格納されている音データをメモリから取り出し、取り出した音データを復調して外部に出力するか無音とすることにより、連続撮影画像とその他の画像とを弁別可能とする、ことを特徴とする再生時の画像確認方法を提供する。これにより、再生画像の種類に応じて報知音が出力されるので、保存記録メモリに連続撮影画像とその他の画像が混在していてもユーザは再生画像の種類を確認できる。
【００２５】
また、請求項１３に記載の発明では、被写体を撮影してその画像データを生成し、該画像データを保存メモリに記録する撮像装置の再生時の画像確認方法において、記録画像の再生時に、再生画像が同一グループに属するか否かを判定し、同一グループに属する場合は、当該グループに対応付けられて格納されている音データをメモリから取り出し、取り出した音データを復調して外部に出力し、現在の再生画像が同一グループの画像であることを確認可能とする、ことを特徴とする再生時の画像確認方法を提供する。これにより、再生画像が同一グループの画像の場合にはそのグループに対応付けられた報知音が出力されるのでユーザは再生画像のグループを確認できる。
【００２６】
また、請求項１４に記載の発明では、被写体を撮影してその画像データを生成し、該画像データを保存メモリに記録する撮像装置において実行可能なプログラムであって、撮影時に撮影画像の種類を判定するプログラムステップと判定された撮影画像の種類に対応する音データをメモリから取り出すプログラムステップと、前記取り出した音データを復調させて外部に音響出力させるプログラムステップと、を備えたことを特徴とするプログラムを提供する。
これにより、撮影時に撮影画像の種類に対応する音データを音響メモリから取り出し、取り出した音データを復調させて外部に音響出力させることができるので、被写体人物の関心をカメラに集中させることができると共にユーザは聴覚により画像の種類を確認することができる。
【００２７】
また、請求項１５に記載の発明では、撮影画像の画像データを保存メモリに記録した撮像装置と接続された画像処理装置又は撮像装置から画像データ転送された画像処理装置において実行可能なプログラムであって、画像の再生時に再生画像の種類を判定するプログラムステップと、再生画像の種類が連続撮影画像の場合に、再生画像枚数をカウントするプログラムステップと、カウントされた再生画像枚数に対応する音データを音響メモリから取り出すプログラムステップと、取得された音データを復調させて外部に音響出力させるプログラムステップと、を備えたことを特徴とするプログラムを提供する。
これにより、画像処理装置での再生時にカウントされた連続撮影画像の再生画像枚数に対応する音データを音響メモリから取り出し、その音データを復調させ外部に音響出力させることができるので、現在再生している画像が連続撮影画像であることを聴覚で確認できるので分かりやすく安心感を持つことができる。
【００２８】
また、請求項１６に記載の発明では、撮影画像の画像データを保存メモリに記録した撮像装置と接続された画像処理装置又は撮像装置から画像データ転送された画像処理装置において実行可能なプログラムであって、画像の再生時に再生画像の種類を判定するプログラムステップと、再生画像の種類が連続撮影画像の場合に、再生画像枚数をカウントするプログラムステップと、カウントされた再生画像枚数に対応する音データを音響メモリから取り出すプログラムステップと、取得された音データを復調させて外部に音響出力させるプログラムステップと、カウントされた再生画像枚数を表示させるプログラムステップと、を備えたことを特徴とするプログラムを提供する。
これにより、連続撮影画像の場合に、再生画像枚数をカウントし、１枚再生されるたびにカウントされた再生画像枚数に対応する音データを音響メモリから取り出し、その音データを復調させ外部に音響出力させると共に撮影枚数を表示させることができるので、ユーザは何枚目の連続撮影画像が再生されたかといったことを聴覚及び視覚で確実に確認できる。
【００２９】
また、請求項１７に記載の発明では、撮影画像の画像データを保存メモリに記録した撮像装置と接続された画像処理装置又は撮像装置から画像データ転送された画像処理装置において実行可能なプログラムであって、画像の再生時に再生画像が同一グループに属するか否かを判定するプログラムステップと、グループ判定手段によって判定されたグループに対応する音データを音響メモリから取り出すプログラムステップと、取得された音データを復調させて外部に音響出力させるプログラムステップと、を備えたことを特徴とするプログラムを提供する。
これにより、再生画像が同一グループの画像の場合には、そのグループに対応付けられた報知音を出力することができるので、ユーザは再生画像のグループを聴覚で確認できる。
【発明の効果】
【００３０】
本発明によれば、撮影時に撮影枚数や画像の種類や撮影シーン等を聴覚的に確認したり、画像再生時に再生枚数や画像の種類や撮影シーン等を聴覚又は視覚で確認することができる。
【図面の簡単な説明】
【００３１】
【図１】本発明の撮影確認方法／再生画像確認方法を適用可能なデジタルカメラの一実施例の外観を示す図である。
【図２】図１に示したデジタルカメラの内部構成例を示すブロック図である。
【図３】連続撮影時や画像再生時に出力される枚数確認用の報知音の例を示す図である。
【図４】本発明の撮影確認方法を適用可能なデジタルカメラの連続撮影時の動作例を示すフローチャートである。
【図５】ベストショットモードによる撮影時に出力されるシーン確認用の報知音の一実施例を示す図である。
【図６】ベストショットモードによる撮影時に出力されるシーン確認用の報知音の一実施例を示す図である。
【図７】ベストショットモード時のデジタルカメラの動作例を例を示すフローチャートである。
【図８】本発明の再生画像確認方法を適用可能なデジタルカメラの画像再生時の動作例を示すフローチャートである。
【図９】画像再生時のデジタルカメラの動作例を示すフローチャートである。
【図１０】画像再生時のデジタルカメラの動作例を示すフローチャートである。
【図１１】連続撮影画像を再生する際に表示される撮影枚数の表示例を示す。
【図１２】連続撮影画像を再生する際の撮影枚数表示動作例を示すフローチャートである。
【図１３】連続画像撮影時の撮影枚数表示動作例を示すフローチャートである。
【発明を実施するための形態】
【００３２】
（実施形態１）
以下の説明ではデジタルカメラを撮像装置の例として説明するが撮像装置という用語はデジタルカメラに限定されない。
図１は、本発明の撮影確認方法／再生画像確認方法を適用可能なデジタルカメラの一実施例の外観を示す図であり、デジタルカメラ１００は正面側（図１（ａ））に撮像レンズ１１１、光学ファインダ１１２、及び測光センサ１１３を有している。
【００３３】
デジタルカメラ１００の背面（図１（ｂ））には、液晶モニタ画面４１、光学ファインダ１１２、モードの切り替えを行うモードダイアル３１、液晶モニタスイッチ３２、メニューキー３４、カーソルキー３５等のスイッチ及びキーが設けられている。
【００３４】
また、上面（図１（ｃ））には、ズームレバー３３、シャッターキー３６、ストロボ設定キー３７、及び電源スイッチ９１が設けられ、側部にはパーソナルコンピュータ（以下、パソコン）やモデム等の外部装置とＵＳＢケーブルを接続する場合に用いるＵＳＢ端子接続部９５が設けられている。なお、正面等に赤外線通信やブルートゥース等の近接通信用の光送受口や無線通信用アンテナ、ＧＰＳ受信アンテナを設けるようにしてもよい。
【００３５】
図１（ｄ）はモードダイアル３１の詳細図であり、モードダイアル３１の上面には、符号３１−１〜３１−６、・・・に示すような、ユーザがモードを判別しやすいアイコンや文字が印刷又は形押等により表示されており、ユーザがモードダイアルを廻してモード選択位置３１−０に所望のアイコン等を合わせるとモードが切り替えられる。なお、図示の例では符号３１−１は再生モードを意味し、符号３１−２〜３１−６は撮影モードを意味し、符号３１−２は通常撮影モード、符号３１−３はベストショットモード（シーン選択モード）、符号３１−４はカップリングモード、符号３１−５は夜景モード、符号３１−６はムービー（動画）撮影モードを意味する。
【００３６】
ユーザがモードダイアル３１を廻して、通常撮影モードにして、シャッターキー３６を半押しして露出／自動合焦を行わせた後、シャッターキー３６を押しつづけると、デジタルカメラ１００は音響出力部１６（図２）から撮影枚数等や撮影パターン等の画像撮影情報を、単音節や、複合音節や、音声メッセージや、メロディ等の報知音を出力してユーザに報知し、確認可能とする。また、再生モード時にデジタルカメラ１００は、画像再生の際、撮影モードや再生画像の枚数、再生画像の種類、撮影シーン、同一グループに属していることの確認音等を上述したような報知音でユーザに報知したり、撮影枚数を液晶モニタ画面４１に表示して、確認可能とする。
【００３７】
図２は、図１に示したデジタルカメラの内部構成例を示すブロック図である。図２で、デジタルカメラ１００は、光学系１１、信号変換部１２、信号処理部１３、ＤＲＡＭ１４、音響メモリ１５、音響出力部１６、インターフェイス１７、制御部２０、操作部３０、表示部４０、フラッシュメモリ５０、及び電源９０を有している。
【００３８】
光学系１１は、撮像レンズ１１１、測光センサ１１３、ズーム機構１１４、自動合焦機構１１５、自動絞り機構１１６、及び自動露出機構１１７等を含み、撮像レンズ１１１を介して集光された被写体像の光束を後段の撮像素子（ＣＣＤ）上に結像させる。
【００３９】
信号変換部１２は、Ａ／Ｄ変換器等の信号変換回路等を含み、また、前段の光学系１１を介して結像した画像をＣＣＤによって電気信号に変換し、その電気信号をデジタルデータに変換して一定の周期で出力する。
【００４０】
信号処理部１３は、通常撮像モード時には信号変換部１２からの出力を処理して、デジタルの輝度、色差マルチプレクス信号（Ｙ，Ｃｂ，Ｃｒデータ）等の信号成分を得て、Ｙ，Ｃｂ、Ｃｒデータ（以下、画像データ）をＤＲＡＭ１４に転送し、一時的に記憶させる。また、スルー画像を表示するために、取込んだ画像データを間引いて表示部４０に送る。また、シャッター操作がされるとその時点の画像データを表示部４０に送って静止画表示させる。
【００４１】
また、信号処理部１３は、記録保存の際にＤＲＡＭ１４に書込まれている画像データを読み出して圧縮処理を施し、再生時にフラッシュメモリ（保存メモリ）５０に保存記録されていた圧縮画像データに伸張処理を施して画像データを再生する圧縮伸張部を備えている。また、圧縮画像データを高速で伸張する高速伸張部を備えるように構成してもよい。
【００４２】
ＤＲＡＭ１４は作業用メモリとして用いられ、撮像された画像を一時的に記憶する画像バッファ領域や画像データの圧縮／伸張時や画像合成時の作業用領域等が確保されている。
【００４３】
音響メモリ１５はフラッシュメモリのようなブロック単位で消去／書き換え可能なメモリからなり、予め、単音節、単語、音声メッセージ、メロディ等の音データ（デジタルデータ）が撮影枚数や画像パターン等に対応付けられて格納されている。また、音データの追加や更新（書き換え）ができる。なお、音響メモリ１５を設けず、フラッシュメモリ５０の一部領域を音響メモリとして用いるようにしてもよい。
【００４４】
音響出力部１６は音信号変換部、アンプ、及びスピーカ等から構成され、音響メモリ１５から取り出され、渡された音データ（デジタルデータ）を音響信号変換部でアナログデータに変換し、アンプで増幅してスピーカから外部に音、単語、メッセージ、メロディ等の報知音として出力する。
【００４５】
インターフェイス１７は、ＵＳＢ端子接続部９５を介してパーソナルコンピュータ（以下、パソコン）やモデム等の外部装置とのデータの授受を行う。
【００４６】
制御部２０はＣＰＵ、ＲＡＭ、プログラム格納用ＲＯＭおよびタイマ等の計時機構を有したマイクロプロセッサ構成を有しており、ＣＰＵは、上述の各回路および図示しない電源切換えスイッチ等にバスラインを介して接続し、プログラム格納用ＲＯＭに格納されている制御プログラムによりデジタルカメラ１００全体の制御を行うと共に、操作部３０からの状態信号に対応してプログラム格納用ＲＯＭに格納されている各モードに対応の動作プログラムや処理プログラムを取り出して、デジタルカメラ１００の各機能の実行制御を行う。
【００４７】
操作部３０はモードダイアル３１、液晶モニタスイッチ３２、ズームレバー３３、メニューキー３４、カーソルキー３５、シャッターキー３６、及びストロボ設定キー３７等のボタンやスイッチを構成部分としており、これらのキーやボタン或いはスイッチが操作されると状態信号等が制御部２０に送出される。
【００４８】
表示部４０はビデオエンコーダ、ＶＲＡＭ（図示せず）および液晶モニタ画面（ＬＣＤ）４１等から構成されており、制御部２０の表示制御により、撮像時のスルー画像、及び再生時の再生画像、処理選択時の選択用メニュー（或いはアイコン）の表示等を表示したりする。
【００４９】
フラッシュメモリ５０は画像データ（圧縮画像データ）を記録する。また、管理ファイルや、画像の撮影モードや撮影日時や画像識別情報を含む画像情報を記録することができる。また、フラッシュメモリ５０に加え、メモリカードのように着脱可能な記憶媒体を用いるようにしてもよい。
【００５０】
測光センサ１１３はデジタルカメラ１００の周辺光量を計測して制御部２０に計測値を送る。ズーム機構１１４はユーザによるズームレバー３３のスライド操作に基づいて焦点距離を望遠又は広角側に変化させる。自動合焦機構１１５は、制御部２０の制御下でいわゆるＡＦ（オートフォーカス）による自動合焦のためのレンズの移動等を行う。自動絞り機構１１６は測光センサ１１３によって計測された周辺光量を基に制御部２０の制御下で決定される絞り値に従って絞りを行う。自動露出機構１１７は測光センサ１１３によって計測された周辺光量を基に制御部２０の制御下で決定される露出値（ＣＣＤに取り入れる光量）に従ってシャッタースピードを決定する。
【００５１】
図３は、連続撮影時や画像再生時に出力される枚数確認用の報知音の例を示す図であり、音響メモリ１５に単語を音データ１３１として撮影枚数と対応付けて格納した例である。これにより、画像が１枚撮影されるたびに音響メモリ１５から撮影枚数に対応付けられた音データ１３１を取り出して音響出力部１６に渡し、報知音として出力させることができる。
【００５２】
図３では、例えば、５枚の画像が連続撮影されると１枚目では「ド」、２枚目では「レ」、・・・、５枚目では「ソ」が出力されるので、全体を通して「ドレミファソ」とユーザに報知され、ユーザは５枚撮影されたということを聴覚により確認できる。
【００５３】
なお、図３の例では１音節又は１語を撮影枚数に対応させる例を示したが、これらの例に限定されない。例えば、１枚目に「ド」、２枚目に「レレ」、３枚目に「ミミミ」、４枚目に「ファファファファ」、５枚目に「ソソソソソ」といったように対応付けてもよい。
【００５４】
図４は、連続撮影時のデジタルカメラ１００の動作例を示すフローチャートであり、ステップＳ５〜ステップＳ８は報知音による撮影確認動作プログラムに基づく制御部の制御による動作に相当する。
【００５５】
連続撮影モードへの切り替えがなされると、制御部２０は、光学系１１、信号変換部１２、及び信号処理部１３を制御して取り込んだ被写体像の画像データをＤＲＡＭ１４に送り、静止画像バッファ領域に一時記憶させると共に取り込んだ画像データをスルー画像用に間引き処理して表示部４０へ送り、スルー画像を表示させる（ステップＳ１）。
【００５６】
制御部２０は操作部３０からの状態信号を調べ、ユーザがシャッターキー３６を半押しした場合にはステップＳ３に進み、そうでない場合はステップＳ１に戻る（ステップＳ２）。
【００５７】
上記ステップＳ２でシャッターキー３６が半押しされた場合は、制御部２０は自動露出機構１１７や自動合焦機構１１５に制御信号を送って、露出／自動合焦を行わせてステップＳ４に進む（ステップＳ３）。
【００５８】
制御部２０は操作部３０からの状態信号を調べ、ユーザがシャッターキー３６を全押しした場合にはステップＳ５に進み、そうでない場合はステップＳ３に戻る（ステップＳ４）。
【００５９】
上記ステップＳ４でシャッターキー３６が全押しされた場合は、制御部２０は枚数カウンタをゼロクリアしてから（ステップＳ５）、枚数カウンタに１を加え（ステップＳ６）、音響メモリ１５に格納されている音データのうち枚数カウンタの値に対応する音データを取り出して音響出力部１６に送り（ステップＳ７）、音データを復調させて報知音として外部に出力させる（ステップＳ８）。
【００６０】
制御部２０は連続撮影処理、例えば、ステップＳ１の前段の連続撮影モード選択時に設定された時間間隔（又は所定の時間間隔）で１フレーム分の画像データをＤＲＡＭ１４に取り込み、圧縮処理してフラッシュメモリ５０に記録すると共に画像の種類（この例では連続撮影モードによる連続撮影画像）を含む画像情報を当該圧縮画像データに対応付けて記録するといったような処理を光学系１１、信号変換部１２、及び信号処理部１３等を制御して行わせ（ステップＳ９）、シャッターキー３６が開放されたか撮影枚数が所定の撮影可能枚数Ｍと等しい場合は連続撮影処理を終了する。また、シャッターキー３６の開放もなく撮影枚数が所定の撮影可能枚数でない場合はステップＳ６に戻る（ステップＳ１０）。
【００６１】
なお、上記ステップＳ９の連続撮影処理動作は図４ではステップＳ８が終わった後に行うように示してあるが、ステップＳ５〜Ｓ８の報知音による撮影枚数の報知動作と並行して行うことが望ましい。
【００６２】
上記図４のフローチャートのステップＳ５〜Ｓ８に示した動作により、連続撮影で１枚撮影されるたびに、枚数に対応した報知音が出力されるのでユーザは連続撮影で何枚目が撮影されているかを、被写体から目を離すことなく確認できる。
【００６３】
また、上記報知音は予め音響メモリ１５に各種報知音のパターンを登録しておき、ユーザが予め選択メニュー画面等で「報知音選択画面」を選択して、報知音のパターンを選択可能に構成してもよい。また、「報知音設定画面」で所望の報知音を音響メモリ１５に設定可能に構成してもよい。更に、外部からインターフェイス１７を介して音データを取り込んで音響メモリ１５の内容を更新可能に更新することもできる。
【００６４】
また、連続撮影モードの撮影枚数や撮影状態（ＩＳＯ感度連写、ホワイトバランス連写等）を設定可能な設定画面を設け、上記図４のフローチャートのステップＳ２とＳ３（又は、Ｓ３とＳ４）の間に、どのような連続撮影状態か報知するステップを設け、シャッターキー３６の半押し時にどのような連続撮影状態かを報知するようにしてもよい（例えば、「ＩＳＯ感度連写です」とか、「ホワイトバランス連写です」といったガイド音の報知）。また、上記図４のフローチャートのステップＳ２とＳ３（又は、Ｓ３とＳ４）の間に設定された撮影枚数を報知するステップを設け、シャッターキー３６の半押し時に何枚連続撮影するかを報知するようにしてもよい。例えば、５枚連続撮影する場合は、シャッターキー３６が半押しされると、シャッターキー３６の全押し後に、１枚撮影されるたびにステップＳ８で、「ド」、「レ」、「ミ」、・・・と報知するようにしてもよい。このようにすれば、撮影される側もその情報がわかり撮影時の表情等を作りやすくなるし、姿勢等も改めやすい。
【００６５】
＜変形例＞
上記説明では連続撮影の際に撮影枚数を報知音で報知する例について述べたが、本発明の適用範囲は連続撮影に限定されない。例えば、ＡＥＢ撮影（オートブランケット撮影ともいう）の場合に適用することができる。ここで、ＡＥＢはAutomatic  Exposure  Brancketing（多段露出）の略であり、１回の撮影で露出値を変化させた複数枚の画像を撮影する機能をいう。つまり、ＡＥＢ撮影では、１回のシャッター操作で複数枚の画像を撮影するが、その複数枚をシャッタースピードや露出や、ズーム等を少しずつ変えながら撮影し、最適な画像を得ることができる。
【００６６】
従って、図４のフローチャートのステップＳ８を「ＡＥＢ撮影処理」とすることにより、本発明の枚数確認方法、つまり、ステップＳ５〜Ｓ８の動作（報知音による撮影確認動作プログラムに基づく制御部２０の制御による動作）をそのままＡＥＢ撮影の場合にも適用することができる。
【００６７】
例えば、ＡＥＢ撮影において、１回の撮影で露出値を０．５ＥＶずつ変化させた３枚の画像を撮影するように設定したとき、最初の撮影に「ド」、次の撮影に「ミ」、最後の撮影に「ソ」を対応付けて、報知音として出力することができる。これにより、ユーザはＡＥＢ撮影で何枚目を撮影しているかを、被写体から目を離すことなく確認できる。
【００６８】
（実施形態２）
上記各実施例では報知音により撮影枚数の確認を行う例について述べたが、本発明の適用範囲は撮影枚数の確認に限定されない。例えば、シーン選択モード（以下、ベストショットモードと記す）のように選択されたシーンに応じた報知音を撮影時に出力することにより撮影内容をユーザに確認できるようにすることもできる。ここで、ベストショットは、予め登録してあるさまざまなシーンを選んで撮影する撮影モードを意味し、複数のシーンの中から撮影したいシーンを選ぶと、自動的にそのシーンに最適な設定（例えば、人物を撮影する場合は色強調を肌色に設定し、望遠側にすると背景が綺麗にぼやけるといった、シーンに適した設定）を自動的に行う機能をいう。
【００６９】
図５、図６は、ベストショットモードによる撮影時に出力されるシーン確認用の報知音の一実施例を示す図であり、図５（ａ）は、音響メモリ１５にシーンを連想させる音やメロディを音データとしてシーンと対応付けて格納した例である。図５（ｂ）は、音響メモリ１５にシーンの説明としての語句とシーンを連想させる音やメロディを音データとしてシーンと対応付けて格納した例である。
【００７０】
これにより、画像が１枚撮影されるたびに音響メモリ１５から選択されたシーンに対応付けられた音データを取り出して音響出力部１６に渡し、報知音として出力させることができる。
【００７１】
例えば、図５（ａ）に示したような音データ構成で、子供を撮るシーンが選択された場合にはベストショットモードでシャッターキー３６が半押しされると、シーン欄１５１の子供を撮るシーンに対応する「楽しい子供の曲」音データが報知音データ格納欄１５２から取り出されて音響出力部１６に渡され、「楽しい子供の曲」が出力されるので、カメラの前の子供は曲を聴いてカメラに集中することとなり、ややもすると動きやすい子供の写真もブレなく撮ることができる。また、花火を撮るシーンが選択された場合にはベストショットモードでシャッターキー３６が半押しされると、シーン欄１５１の花火を撮るシーンに対応する花火の音に模した「太鼓の音」音データが報知音データ格納欄１５２から取り出されて音響出力部１６に渡され、花火の音に模した「太鼓の音」が出力されるので、カメラの前の子供は音を聴いてカメラに集中することとなる。同様に、ベストショットの各シーンに対応付けられたメロディや音或いは文言等を出力して、被写体人物又はユーザの関心をカメラに集中することができる。
【００７２】
また、図６（ａ）はベストショットモードでシャッター操作時に出力するシャッター音やハーフシャッター音をシーンに対応付けて音響メモリ１５に格納した例であり、図６（ｂ）はベストショットモードでセルフタイマ設定時に出力するセルフタイマ音をシーンに対応付けて音響メモリ１５に格納した例である。
【００７３】
これにより、ベストショットモードで選択されたシーンによる撮影を行う際に、どのようなシーンで撮影するかといったシーンの説明とシーンを連想させる音やメロディ等からなる音データを音響メモリ１５から取り出して音響出力部１６に渡し、出力させることができる。
【００７４】
例えば、図５（ｂ）に示したような音データ構成で、森や緑を撮るシーンが選択された場合にはベストショットモードでシャッターキー３６が半押しされると、シーン欄１５１の森や緑を撮るシーンに対応する「シーンの説明」音データが音データ格納欄１５２から取り出されて音響出力部１６に渡され、「森や緑を撮ります」というメッセージが出力され、ついで、「メロディ等の」音データが音データ格納欄１５３から取り出されて音響出力部１６に渡され、「カッコウの鳴き声」が出力されるので、ユーザは関心をカメラに集中することができる。同様に、ベストショットの各シーンに対応付けられたシーンの説明用メッセージ及び選択されたシーンを連想させるメロディや音等を出力して被写体人物又はユーザの関心をカメラに集中させることができる。
【００７５】
図７は、ベストショットモード時のデジタルカメラ１００の動作例を示すフローチャートであり、ステップＴ５〜ステップＴ１５の動作は報知音によるシーン撮影確認動作プログラムに基づく制御部２０の制御による動作に相当する。
【００７６】
図７（ａ）で、ユーザがモードダイアル３１を回してベストショットモードへの切り替えを行うと、制御部２０はベストショット選択画面を表示部４０に表示してユーザにシーンの選択を促すのでユーザが所望のシーンを選択し（ステップＴ１）、確定ボタン（実施例では、図１のＳＥＴボタン３５１）を押すと、選択されたシーンが設定される（ステップＴ２）。
【００７７】
次に、制御部２０は、光学系１１、信号変換部１２、及び信号処理部１３を制御して取り込んだ被写体像の画像データをＤＲＡＭ１４に送り、静止画像バッファ領域に一時記憶させると共に取り込んだ画像データをスルー画像用に間引き処理して表示部４０へ送り、スルー画像を表示させる（ステップＴ３）。
【００７８】
制御部２０は操作部３０からの状態信号を調べ、ユーザがシャッターキー３６を半押しした場合にはステップＴ５に進み、そうでない場合はステップＴ３に戻る（ステップＴ４）。
【００７９】
上記ステップＴ４でシャッターキー３６が半押しされた場合は、制御部２０は音響メモリ１５から選択されたシーン１６１に対応付けられたハーフシャッター音データ１６３（図６（ａ））参照）を取り出して音響出力部１６に渡し（ステップＴ５）、音響出力部１６に選択されたシーンに最も適したシャッター半押し音を出力させる（ステップＴ６）。
【００８０】
また、セルフタイマが設定されているか否かを調べ、設定されている場合はステップＴ８に進み、そうでない場合はステップＴ１０に進む（ステップＴ７）。
【００８１】
セルフタイマが設定されている場合は、制御部２０は、音響メモリ１５から選択されたシーン１６５に対応付けられたセルフタイマ音データ１６６（図６（ｂ））参照）を取り出して音響出力部１６に渡し（ステップＴ８）、音響出力部１６に選択されたシーン１６５に最も適したセルフタイマ音を出力させると共にセルフタイマをスタートさせる。（ステップＴ９）。
【００８２】
制御部２０は自動露出機構１１７や自動合焦機構１１５に制御信号を送って、選択されたシーンに最も適した露出／自動合焦を行わせてステップＴ１１に進む（ステップＴ１０）。
【００８３】
制御部２０は操作部３０からの状態信号及びセルフタイマの経過時間を調べ、ユーザがシャッターキー３６を全押しした場合、又はセルフタイマの設定時間が到来した場合にはステップＴ１２に進み、そうでない場合はステップＴ７に戻る（ステップＴ１１）。
【００８４】
上記ステップＴ１１でシャッターキー３６が全押しされた場合又はセルフタイマの設定時間が到来した場合は、制御部２０は音響メモリ１５から選択されたシーンに対応付けられたシャッター音データ（図６（ａ））参照）を取り出して音響出力部１６に渡し（ステップＴ１２）、音響出力部１６に選択されたシーンに最も適したシャッター全押し音を出力させる（ステップＴ１３）。
【００８５】
更に、制御部２０は音響メモリ１５に格納されている音データ（図５参照）のうち選択されたシーンに対応付けられている音データを取り出して音響出力部１６に送り（ステップＴ１４）、音響出力部１６に報知音を生成させて外部に出力させる（ステップＴ１５）。
【００８６】
制御部２０は、ユーザがシャッターキー３６を全押しした時点、又はセルフタイマの設定時間が到来した時点の１フレーム分の画像データ（ベストショットによる画像データ）をＤＲＡＭ１４に取り込む処理を光学系１１、信号変換部１２、及び信号処理部１３等を制御して行わせ、表示部４０にＤＲＡＭ１４の画像データを送って静止画表示させ（ステップＴ１６）、ＤＲＡＭ１４に取り込んだ画像データを圧縮処理してフラッシュメモリ５０に記録すると共に画像の種類（この例ではベストショットモードによる撮影画像）を含む画像情報を当該圧縮画像データに対応付けて記録する、といったような処理を信号処理部１３等を制御して行わせてベストショットモードによる撮影を終了する（ステップＴ１７）。
【００８７】
なお、上記ステップＴ１６、Ｔ１７のベストショットモード時の静止画像表示動作及び画像記録処理動作は、図７ではステップＴ１５が終わった後に行うように示してあるが、ステップＴ１４、Ｔ１５の報知音によるシーンの報知動作と並行して行うことが望ましい。
【００８８】
上記図７（ａ）のフローチャートに基づく動作により、画像が１枚撮影されるたびに音響メモリ１５から選択されたシーンに対応付けられた音データを取り出して音響出力部１６に渡し、報知音として出力させることができるので、ベストショットの各シーンに対応付けられたメロディや音或いは文言等を出力して、被写体人物の関心をカメラに集中することができると共にユーザは聴覚によりシーンを確認することができる。また、シーンを間違えていた場合に記録前に間違いが分かるのでシーンの設定をやり直すことができる。
【００８９】
また、シャッターキー３６の半押し時に、選択されたシーンに最も適したシャッター半押し音を出力するので、人物撮影の場合に被写体人物の注意をカメラに向けさせることができ、露出や自動合焦時に被写体人物が大きく動くようなことを防止できる。また、セルフタイマ設定時に選択されたシーンに最も適したセルフタイマ音を出力できるので、楽しい雰囲気を醸し出して被写体人物の注意をカメラに集中させることができ、自動シャッター前に被写体人物が動くようなことを防止できる。
【００９０】
更に、シャッターキー３６の全押し時に、選択されたシーンに最も適したシャッター全押し音を出力するので、ユーザ、被写体人物の双方は撮影がされたことを確認でき、安心感を持つことができる。
【００９１】
なお、上記シャッターキー３６の半押し音の出力動作ステップ（ステップＴ５、Ｔ６）及びシャッターキー３６の全押し音の出力動作ステップ（ステップＴ１２、Ｔ１３）は必須ではない。つまり、これらのステップは省略してもよい。
【００９２】
また、上記シャッターキー３６の半押し音の出力動作ステップ（ステップＴ５、Ｔ６）の次に、図７（ｂ）に示すようなシーン説明メッセージ出力ステップ（ステップＴ６−２、Ｔ６−３）を付加するようにしてもよい。
【００９３】
つまり、図７（ａ）のステップＴ６で、シャッターキー３６の半押し音が出力された後、図７（ｂ）に示すように、音響メモリ１５から選択されたシーンに対応付けられたシーンの説明音データ（図５（ｂ））参照）を取り出して音響出力部１６に渡し（ステップＴ６−２）、音響出力部１６に選択されたシーンの説明メッセージを出力させる（ステップＴ６−３）。
【００９４】
なお、シャッターキー３６の半押し音の出力動作ステップ（ステップＴ５、Ｔ６）を省略した場合はシーン説明メッセージ出力ステップ（ステップＴ６−２、Ｔ６−３）をシャッターキー３６の半押し時のステップ（ステップＳ４）の次に付加するようにする。
【００９５】
なお、図６の音響メモリ１５に格納される音データの例、及び図７のフローチャートではシャッター全押し音やシャッター半押し音、及びセルフタイマ音を例としたが、機械的ではなく電気的に動作して音が出ないその他のキー操作音等も音響メモリ１５に各シーンと音データを対応付けて格納しておくことにより、各種操作の報知音として出力することができる。
【００９６】
（実施形態３）
上記実施形態１及び実施形態２では撮影時に報知音を出力して撮影確認を可能とする例について述べたが、本発明の適用範囲は撮影枚数の確認に限定されず、画像再生時の再生画像確認、例えば、連続撮影された画像を再生する際の撮影枚数確認、ベストショットモード再生画像の撮影シーンの確認、再生画像が属する画像グループの確認、再生画像が属しているフォルダの確認等にも適用できる。以下、本発明に基く画像再生時の再生画像確認方法等について説明する。以下の説明では図１及び図２で示したデジタルカメラ１００を用いて説明する。なお、フラッシュメモリ５０には画像の種類情報を含む画像情報が各画像に対応付けられて記録されているものとする。また、本実施例でいう「画像の種類情報」とは撮影モード、撮影日時、・・・・フォルダ名等、同一グループに属するか否かを判定可能な情報を意味する。
【００９７】
図８は、画像再生時のデジタルカメラの動作例を示すフローチャートであり、図１のデジタルカメラ１００で撮影した連続撮影画像を再生する際の動作例を示し、ステップＵ４〜ステップＵ７の動作は報知音による再生時の画像確認動作プログラムに基づく制御部の制御による動作に相当する。
【００９８】
図８で、デジタルカメラ１００の電源スイッチ９１がオン操作された後に、モードダイアル３１を廻して再生モードを選択すると、制御部２０は枚数カウンタをゼロクリアし（ステップＵ１）、フラッシュメモリ５０から指定された画像の圧縮画像データ及びこの画像に対応付けられているフラッシュメモリ５０に格納されている画像情報を取り出し、取り出した圧縮画像データに圧縮画像の伸張処理を施し（ステップＵ２）、画像データを表示部４０に送って再生画像を表示させる（ステップＵ３）。
【００９９】
制御部２０は、取り出した画像情報に含まれている画像の種類（つまり、再生画像の種類）を調べ、再生対象画像が連続撮影画像の場合はステップＵ５に進み、そうでない場合は他の種類の画像の確認処理に進む（ステップＵ４）。
【０１００】
再生対象画像が連続撮影画像の場合は、制御部２０は枚数カウンタに１を加え（ステップＵ５）、音響メモリ１５に格納されている音データのうち枚数カウンタの値に対応する音データを取り出して音響出力部１６に送り（ステップＵ６）、音データを復調させて再生画像枚数報知音として外部に出力させる（ステップＵ７）。
【０１０１】
次に、制御部２０は、操作部３０からの信号を調べ、ユーザが次の画像の再生指示操作（例えば、カーソルキー３５の「＞」の押し下げ（連続押し下げを含む））を行ったか否かを調べ、再生指示操作があった場合にはステップＵ２に戻る。また、終了指示操作があった場合には画像再生処理を終了する（ステップＵ８）。
【０１０２】
上記図８のフローチャートの構成により、音響メモリ１５に図３に示したように撮影枚数に対応付けた音データを格納しておくことにより連続撮影画像の枚数を報知させることができる。これにより、現在再生している画像が連続撮影画像であることを聴覚で確認できるので分かりやすく安心感を持つことができる。また、連続撮影画像の再生の場合、画像が類似している場合があっても現在何枚目を再生表示しているかがわかるので、再生時に、同じ開始タイミングで撮影した一連の連続撮影のうちどの画像を残してどの画像を消去するかを決める際などに便利である。
【０１０３】
＜変形例１＞
上記説明では画像再生の際に再生枚数を報知音で確認可能とする例について述べたが、本発明の適用範囲は再生画像が連続撮影によって撮影された画像に限定されない。例えば、前述したＡＥＢ撮影（オートブランケット撮影）の場合に適用することができる。
【０１０４】
つまり、図８のフローチャートのステップＵ４を「再生対象画像がＡＥＢ撮影画像か否かの判定動作」とすることにより、本発明の再生画像確認方法、つまり、ステップＵ４〜ステップＵ７の動作（報知音による再生時の画像確認動作プログラムに基づく制御部の制御による動作）をそのままＡＥＢ撮影画像の再生時にも適用することができる。
【０１０５】
例えば、ＡＥＢ撮影において、１回の撮影で露出値を０．５ＥＶずつ変化させた３枚の画像を撮影した画像について、最初の再生画像に「１回目」、次の撮影に「２回目」、最後の撮影に「最後です」を対応付けて、報知音として出力することができる。これにより、ユーザはＡＥＢ撮影画像の何枚目が再生されているかを知ることができ、最も露出状態のよい画像が何枚目の画像かを確認できる。        これにより、どの画像を保存しどの画像を消去するかの操作が行い易くなる。
【０１０６】
＜変形例２＞
フラッシュメモリ５０には各種の撮影モードで撮影された画像データが混在している場合、例えば、一連の連続撮影画像データと他の撮影モードで撮影された静止画像データが混在しているような場合がある。このような場合には、一連の連続画像、その他の画像、他の一連の連続画像、・・・、といったようにフラッシュメモリ５０に画像データが記憶されている。
【０１０７】
ここで、ユーザが画像の早送り操作をする（例えば、カーソルキー３５の「＞」を押し続ける）と再生画像が早送りされるようにデジタルカメラ１００が構成されているものとして、再生画像を早送りしていくと、１枚ずつ撮った画像は無音か或いは「ピッ」、「ピッ」といったような報知音を出し、連続撮影画像はグループ毎に「１枚」、「２枚」、・・・といったように画像枚数を音声出力したり、或いは、グループ毎に「ドドドド」、「レレレレレレ・・・・」といったような再生報知音を出力するようにする。
【０１０８】
図９は、画像再生時のデジタルカメラの動作例を示すフローチャートであり、デジタルカメラ１００で撮影した撮影画像を再生する際の動作例を示す。
【０１０９】
ここで、図９（ａ）は連続撮影画像以外の画像を再生した場合は無音とする例であり、図８のフローチャートに図９（ａ）に示すような「枚数カウンタをゼロクリアする」ステップＵ１０を追加するように構成し、図８のフローチャートのステップＵ４の画像の種類判定で再生画像が連続撮影画像でなかった場合には、ステップＵ９に進んで枚数カウンタをゼロクリアしてから図８のステップＵ８に進むようにする。
【０１１０】
これにより、例えば、１枚ずつ撮った画像が３枚、５枚の連続撮影画像、７枚の連続撮影画像、１枚の画像、４枚の連続撮影画像、・・・といったようにフラッシュメモリ５０に記録されているとすると、早送り再生時に、無音、無音、無音、「ドドドドド」、「レレレレレレレ」、無音、「ミミミミ」、・・・といったように再生報知音が出力される。
【０１１１】
また、図９（ｂ）は連続撮影画像以外の画像を再生した場合には連続撮影画像の再生報知音とは異なる音を出力するようにした例であり、図８のフローチャートに図９（ｂ）に示すような「枚数カウンタをゼロクリアする」ステップＵ９と「連続撮影画像以外の画像を意味する音データを音響メモリ１５から取り出す」ステップＵ９を追加するように構成し、図８のフローチャートのステップＵ４の画像の種類判定で再生画像が連続撮影画像でなかった場合には、ステップＵ９に進んで枚数カウンタをゼロクリアし、ステップＵ１０で連続撮影画像以外の画像を意味する音データを音響メモリ１５から取り出してから図８のステップＵ７（報知音の出力）に進むようにする。
【０１１２】
これにより、例えば、１枚ずつ撮った画像が３枚、５枚の連続撮影画像、７枚の連続撮影画像、１枚の画像、４枚の連続撮影画像、・・・といったようにフラッシュメモリ５０に記録されているとすると、再生時には、「ピッ」、「ピッ」、「ピッ」、「ドドドドド」、「レレレレレレレ」、「ピッ」、「ミミミミ」、・・・といった再生報知音を出力するようにすることができる。
【０１１３】
＜変形例３＞
上記実施例２、変形例１、及び変形例２の説明では、画像再生の際に再生枚数を報知音で確認可能とする例について述べたが、本発明の適用範囲は再生枚数の報知に限定されない。例えば、再生画像がベストショットモードの撮影画像である場合はシーンを連想させるメロディ等を出力したり、再生画像が同じグループの画像には同一グループ（同じ撮影日の画像、同じフォルダの画像等）であることを認識しやすい音を出力するようにしてもよい。
【０１１４】
図１０は、画像再生時のデジタルカメラの動作例を示すフローチャートであり、デジタルカメラ１００で撮影した撮影画像を再生する際の動作例を示す。
【０１１５】
つまり、図８のフローチャートのステップＵ４の画像の種類判定で再生画像が連続撮影画像でなかった場合に、図１０に示すような、「再生画像がベストショットモードで撮影された画像か否かを調べる」ステップＵ２０と、「ベストショットのシーンに対応する音データをメモリから取り出す」ステップＵ２１と、「再生画像が同一グループか否かを調べる」ステップＵ２２と、「そのグループに対応する音データをメモリから取り出す」ステップＵ２３を追加するように構成し、ベストショットされた画像についてはシーンを連想させるメロディ等を出力させ、同一グループの画像、つまり、画像の種類情報（撮影モードや、撮影日時や、・・・・、フォルダ等）が同じ画像が再生される場合には同じ報知音を出力するようにする。
【０１１６】
具体的には、図８のフローチャートのステップＵ４の画像の種類判定で再生画像が連続撮影画像でなかった場合には、制御部２０は画像の種類情報を調べ、再生画像の撮影モードがベストショットモードの場合にはステップＵ２１に進み、そうでない場合にはステップＵ２２に進む（ステップＵ２０）。
【０１１７】
ベストショットモードで撮影された画像の場合には、シーンを調べ、図５に示すようなシーンに対応する音データ（図５の例ではメロディデータ）を音響メモリ１５から取り出し、図８のステップＵ７（報知音の出力）に進む（ステップＵ２１）。
【０１１８】
また、ベストショットモードで撮影された画像でない場合は、再生画像が同一グループ（例えば、撮影日時が同じ画像）に属するか否かを調べ、同一グループの場合はステップＵ２３に進み、そうでない場合は図８のステップＵ８に進む（ステップＵ２２）。
【０１１９】
上記図１０のフローチャートの構成により、再生画像がベストショットモードで撮影された画像の場  合にはシーンに対応付けられた報知音が出力されるのでユーザは再生画像がベストモードで撮影されたあるシーンの画像であることを確認できる。
【０１２０】
また、再生画像が同じ撮影日に撮影された画像の場合には撮影日に対応付けられた報知音が出力されるのでユーザは再生画像が同じ撮影日の画像であることを確認できる。また、上記ステップＵ２２における同一グループかの判定は撮影日が同じ画像だけに限定されない。例えば、フォルダが同じ画像についても画像データが記録されているフォルダを調べて同一フォルダの画像についてフォルダに対応付けられた報知音が出力することができるのでユーザは再生画像が同じフォルダの画像であることを確認できる。
【０１２１】
なお、同一グループの判断基準を再生モード開始時にグループカテゴリ（例えば、撮影日時、フォルダ、撮影モード、・・・）を表示した選択画面を表示してユーザが選択できるように構成することが望ましい。また、この際、グループカテゴリに対応付けて報知音を表示したり、グループカテゴリを選択すると、対応する報知音例を出力するようにしてもよい。
【０１２２】
＜実施形態４＞
上記実施形態３では連続撮影された画像を再生する際の撮影枚数確認を報知音により可能とする例について述べたが、連続撮影の場合、再生画像が似ている場合が多いので、連続撮影画像の再生時に、報知音の出力に加えて、現在表示されている再生画像が連続撮影された画像の何枚目の画像かを表示するようにしてもよい。また、報知音なしに、現在表示されている再生画像が連続撮影された画像の何枚目の画像かを表示するようにしてもよい。
図１１は、デジタルカメラ１００で撮影した連続撮影画像を再生する際に表示される撮影枚数の表示例を示す。なお、図１１（ａ）は単に何枚目かを表示した例を示し、図１１（ｂ）は撮影枚数中何枚目かを表示した例である。また、図１２は、画像再生時のデジタルカメラの動作例を示すフローチャートであり、図１のデジタルカメラ１００で撮影した連続撮影画像を再生する際の動作例を示す。
【０１２３】
図１２（ａ）で、再生モードを選択すると、制御部２０は枚数カウンタをゼロクリアし（ステップＶ１）、フラッシュメモリ５０から指定された画像の圧縮画像データ及びこの画像に対応付けられてフラッシュメモリ５０に格納されている画像情報を取り出し、取り出した圧縮画像データに圧縮画像の伸張処理を施し（ステップＶ２）、画像データを表示部４０に送って再生画像を表示させる（ステップＶ３）。
【０１２４】
制御部２０は、取り出した画像情報に含まれている画像の種類（つまり、再生画像の種類）を調べ、再生対象画像が連続撮影画像の場合はステップＶ５に進み、そうでない場合は他の種類の画像の確認処理に進む（ステップＶ４）。
【０１２５】
再生対象画像が連続撮影画像の場合は、制御部２０は枚数カウンタに１を加え（ステップＶ５）、音響メモリ１５に格納されている音データのうち枚数カウンタの値に対応する音データを取り出して音響出力部１６に送り（ステップＶ６）、音データを復調させて再生画像枚数報知音として外部に出力させ（ステップＶ７）、枚数カウンタの値を表示部４０に送って連続撮影（＝連写）された再生画像の再生枚数として表示させる（ステップＶ８）。
【０１２６】
次に、制御部２０は、操作部３０からの信号を調べ、ユーザが次の画像の再生指示操作を行ったか否かを調べ、再生指示操作があった場合にはステップＶ２に戻る。また、終了指示操作があった場合には画像再生処理を終了する（ステップＶ９）。
【０１２７】
上記図１２（ａ）に示したフローチャートの構成により、連続撮影された画像の枚数を表示させることができる（図１１（ａ）参照）。これにより、連続撮影画像の場合、画像が類似している場合があっても現在再生している画像が何枚目の連続撮影画像であるかがわかるので、再生時に、同じ開始タイミングで撮影した一連の連続撮影のうちどの画像を残してどの画像を消去するかを決める際などに便利である。
【０１２８】
なお、上記図１２（ａ）に示したフローチャートのステップＶ６、Ｖ７を省略して、報知音なしにし、現在表示されている再生画像が連続撮影された画像の何枚目の画像かを表示するようにしてもよい。
【０１２９】
また、図１２（ａ）のフローチャートのステップＶ８とＶ９の間に、図１２（ｂ）に示すように一連の連続撮影画像の合計枚数（＝連写合計枚数）を取得するステップＶ５−２を設け、更に、ステップＶ６を枚数カウンタの値及び連写合計枚数を表示部４０に送って再生画像の再生枚数／合計枚数を表示させるようにしてもよい。なお、一連の連続撮影画像の合計枚数は管理ファイル或いは画像情報に合計枚数を記憶させておくようにすることによりステップＶ５−２で取得することができる。
【０１３０】
上記図１２（ｂ）に示したフローチャートの構成により、連続撮影された画像の枚数と合計枚数を表示させることができる（図１１（ｂ）参照）。これにより、連続撮影の場合、画像が類似していても現在再生している画像が何枚中の何番目の連続撮影画像であるかがわかるので、再生時に、同じ開始タイミングで撮影した一連の連続撮影のうちどの画像を残してどの画像を消去するかを決める際などにより便利である。
【０１３１】
＜変形例＞
再生時でなく、連続撮影中に撮影報知音と共に枚数を表示するようにしてもよい。
図１３は、連続画像撮影時の撮影枚数表示動作例を示すフローチャートであり、図１のデジタルカメラ１００で連続撮影画像を撮影する際の動作例を示す。
図４のフローチャートのステップＳ８とステップＳ９の間に、図１３に示すようにステップＳ８−２を設け、枚数カウンタの値を表示部４０に送って連続撮影（＝連写）された枚数として表示させるようにしてもよい。なお、枚数表示のステップは図４のフローチャートのステップＳ６とステップＳ７、或いはステップＳ７とステップＳ８の間に設けてもよい。
【０１３２】
上記図１３に示したフローチャートの構成により、連続撮影された画像（ＡＥＢ撮影によって撮影された画像を含む）の枚数と合計枚数を表示させることができる（図１１（ｂ）参照）。なお、この場合、電源オフまで枚数を表示するようにしてもよい。
【０１３３】
（外部装置での再生の場合）
本実施形態の説明ではデジタルカメラ１００等の撮像装置で画像を再生する場合を例としたが、デジタルカメラ１００のような撮像装置からケーブルや近距離無線通信による接続又はクレードルを介して撮像装置からパソコン等の外部画像処理装置に画像データを転送するような場合にも、上記図１２（ａ）、（ｂ）のフローチャートに示した動作プログラムと同様の構成のプログラムをパソコン２００のプログラム格納メモリに格納しておき、デジタルカメラからケーブルや近距離無線通信による接続により画像データを受信した場合、又はクレードルを介してパソコンから画像データが転送されたとき、当該プログラムを起動することにより、パソコン等の画像処理装置による画像の再生時に、連続撮影画像の撮影枚数を報知音として出力すると共に、表示することができる（報知音の出力を省略可能な点についても同様である）。
【０１３４】
以上、本発明の幾つかの実施例について説明したが本発明は上記各実施例に限定されるものではなく、種々の変形実施が可能であることはいうまでもない。例えば電子カメラや撮像装置という用語は、携帯電話の他、撮像部を有する情報機器などにも適用でき、更に、静止画カメラに限らず動画カメラにも適用し得るものである。また、携帯電話という用語にはＣＤＭＡ、ＧＳＭをはじめとする各種方式の携帯電話、ＰＨＳ、電話機能を内蔵したＰＤＡ、カメラ機能を内蔵した携帯電話などを含む。
【符号の説明】
【０１３５】
１５  音響メモリ（メモリ）
１６  音響出力部（音響出力手段）
２０  制御部（撮影枚数カウント手段、再生枚数カウント手段、種類判定手段、グループ判定手段、音データ取得手段、第２の音データ取得手段）
５０  フラッシュメモリ（保存メモリ）
１００  デジタルカメラ（撮像装置）
１３１、１５２、１５３  音データ
１６２  シャッター全押し音（音データ）
１６３  ハーフシャッター音（音データ）
１６６  セルフタイマ音（音データ）
【図１】
2011259447.tif 000003
【図２】
2011259447.tif 000004
【図３】
2011259447.tif 000005
【図４】
2011259447.tif 000006
【図５】
2011259447.tif 000007
【図６】
2011259447.tif 000008
【図７】
2011259447.tif 000009
【図８】
2011259447.tif 000010
【図９】
2011259447.tif 000011
【図１０】
2011259447.tif 000012
【図１１】
2011259447.tif 000013
【図１２】
2011259447.tif 000014
【図１３】
2011259447.tif 000015
【手続補正書】
【提出日】平成23年8月1日(2011.8.1)
【手続補正２】
【補正対象書類名】明細書
【補正対象項目名】０００１
【補正方法】変更
【補正の内容】
【０００１】
本発明は、デジタルカメラ等の撮像装置で撮影を行う場合の撮影準備指示時の撮影設定の種類を聴覚で確認可能にする、撮像装置、撮影確認方法、及びプログラムに関する。
【手続補正３】
【補正対象書類名】明細書
【補正対象項目名】００１２
【補正方法】変更
【補正の内容】
【００１２】
本発明は、上記課題を解決するためになされたものであり、デジタルカメラ等の撮像装置で撮影を行う場合の撮影準備指示時の複数の撮影設定の種類を聴覚で確認可能にする、撮像装置、撮影確認方法、及びプログラムの提供を目的とする。
【手続補正４】
【補正対象書類名】明細書
【補正対象項目名】００１３
【補正方法】変更
【補正の内容】
【００１３】
また、請求項１に記載の発明では、被写体を撮影してその画像データを生成し、該画像データを保存メモリに記録する撮像装置において、撮影設定の種類に対応付けられた音データを複数記憶している記憶手段と、撮影準備指示時に撮影設定の種類を判定する種類判定手段と、前記種類判定手段によって判定された撮影設定の種類に対応する異なる音データを前記記憶手段から取り出す音データ取得手段と、前記取り出した音データを撮影準備指示時に復調して、撮影準備指示のあったことを報知する音として外部に出力する音響出力手段と、を備えたことを特徴とする撮像装置を提供する。
【手続補正５】
【補正対象書類名】明細書
【補正対象項目名】００１４
【補正方法】変更
【補正の内容】
【００１４】
また、請求項２に記載の発明では、前記撮影設定の種類には、予め登録してある複数のシーンから選択されたシーンに最適な撮影条件を設定して撮影するシーン選択モードによって設定されるシーンを含むことを特徴とする請求項１に記載の撮像装置を提供する。
【手続補正６】
【補正対象書類名】明細書
【補正対象項目名】００１５
【補正方法】変更
【補正の内容】
【００１５】
また、請求項３に記載の発明では、前記撮影準備指示は、シャッターキー半押し操作であることを特徴とする請求項１又は２に記載の撮像装置を提供する。
【手続補正７】
【補正対象書類名】明細書
【補正対象項目名】００１６
【補正方法】変更
【補正の内容】
【００１６】
また、請求項４に記載の発明では、前記撮影準備指示は、セルフタイマ撮影操作であることを特徴とする請求項１又は２に記載の撮像装置を提供する。
【手続補正８】
【補正対象書類名】明細書
【補正対象項目名】００１７
【補正方法】変更
【補正の内容】
【００１７】
また、請求項５に記載の発明では、撮影設定の種類に対応付けられた音データを複数記憶している記憶手段を備え、被写体を撮影してその画像データを生成し、該画像データを保存メモリに記録する撮像装置の撮影確認方法において、撮影準備指示時に撮影設定の種類を判定する種類判定ステップと、前記種類判定ステップによって判定された撮影設定の種類に対応する異なる音データを前記記憶手段から取り出す音データ取得ステップと、前記取り出した音データを撮影準備指示時に復調して、撮影準備指示のあったことを報知する音として外部に出力する音響出力ステップと、を含むことを特徴とする撮影確認方法を提供する。
【手続補正９】
【補正対象書類名】明細書
【補正対象項目名】００１８
【補正方法】変更
【補正の内容】
【００１８】
また、請求項６に記載の発明では、撮影設定の種類に対応付けられた音データを複数記憶している記憶手段と、前記音データを音として出力する音響出力手段を備え、被写体を撮影してその画像データを生成し、該画像データを保存メモリに記録するコンピュータに、撮影準備指示時に撮影設定の種類を判定する種類判定手順、前記種類判定手順によって判定された撮影設定の種類に対応する異なる音データを前記記憶手段から取り出す音データ取得手順、前記音データ取得手順により読み出された音データを音として出力するよう前記音響出力手段を制御する出力制御手順、を実行させることを特徴とするプログラムを提供する。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】変更
【補正の内容】
【００３０】
本発明によれば撮影準備指示時の複数の撮影設定の種類を聴覚で確認することができる。
【手続補正２２】
【補正対象書類名】特許請求の範囲
【補正対象項目名】全文
【補正方法】変更
【補正の内容】
【特許請求の範囲】
【請求項１】
被写体を撮影してその画像データを生成し、該画像データを保存メモリに記録する撮像装置において、
撮影設定の種類に対応付けられた音データを複数記憶している記憶手段と、
撮影準備指示時に撮影設定の種類を判定する種類判定手段と、
前記種類判定手段によって判定された撮影設定の種類に対応する異なる音データを前記記憶手段から取り出す音データ取得手段と、
前記取り出した音データを撮影準備指示時に復調して、撮影準備指示のあったことを報知する音として外部に出力する音響出力手段と、
を備えたことを特徴とする撮像装置。
【請求項２】
前記撮影設定の種類には、予め登録してある複数のシーンから選択されたシーンに最適な撮影条件を設定して撮影するシーン選択モードによって設定されるシーンを含むことを特徴とする請求項１に記載の撮像装置。
【請求項３】
前記撮影準備指示は、シャッターキー半押し操作であることを特徴とする請求項１又は２に記載の撮像装置。
【請求項４】
前記撮影準備指示は、セルフタイマ撮影操作であることを特徴とする請求項１又は２に記載の撮像装置。
【請求項５】
撮影設定の種類に対応付けられた音データを複数記憶している記憶手段を備え、被写体を撮影してその画像データを生成し、該画像データを保存メモリに記録する撮像装置の撮影確認方法において、
撮影準備指示時に撮影設定の種類を判定する種類判定ステップと、
前記種類判定ステップによって判定された撮影設定の種類に対応する異なる音データを前記記憶手段から取り出す音データ取得ステップと、
前記取り出した音データを撮影準備指示時に復調して、撮影準備指示のあったことを報知する音として外部に出力する音響出力ステップと、
を含むことを特徴とする撮影確認方法。
【請求項６】
撮影設定の種類に対応付けられた音データを複数記憶している記憶手段と、前記音データを音として出力する音響出力手段を備え、被写体を撮影してその画像データを生成し、該画像データを保存メモリに記録するコンピュータに、
撮影準備指示時に撮影設定の種類を判定する種類判定手順、
前記種類判定手順によって判定された撮影設定の種類に対応する異なる音データを前記記憶手段から取り出す音データ取得手順、
前記音データ取得手順により読み出された音データを音として出力するよう前記音響出力手段を制御する出力制御手順、
を実行させることを特徴とするプログラム。
【手続補正２３】
【補正対象書類名】図面
【補正対象項目名】図２
【補正方法】変更
【補正の内容】
【図２】
2011259447.tif 000016